(57)【要約】      （修正有）【課題】載置物が容易に転倒することがなく、繰り返し利用できる吸盤を有するパッド体を提供する。【解決手段】軟性材質からなり、下吸盤部及び上吸盤部を含む。下吸盤部は、中央が隆起する弧面状に形成され、上吸盤部は、中央が凹む弧面状に形成される。上吸盤部の中央部と下吸盤部の中央部とが一体に形成され、貫通孔が設けられる。【選択図】図１
0003170118.tif 000002
【実用新案登録請求の範囲】
【請求項１】
吸盤を有するパッド体であって、軟質材質からなり、前記パッド体は、下吸盤部及び上吸盤部を含み、前記下吸盤部は、中央部及び周辺を含み、中央が隆起する弧面状に形成され、前記上吸盤部は、中央部及び周辺を含み、前記中央部が前記下吸盤部の中央部と一体に形成され、前記上吸盤部の周辺は、前記下吸盤部の周辺と間隔を開け、前記上吸盤部は、中央が凹む弧面状に形成され、貫通孔は、前記上吸盤部の中央部及び前記下吸盤部の中央部を延在貫通し、前記下吸盤部は、被載置体に吸着され、前記上吸盤部は、載置物の底部が載置されることを特徴とする吸盤を有するパッド体。
【請求項２】
前記パッド体の下吸盤部の周辺は、上へ延在され、環状囲い壁に形成されることを特徴とする請求項１に記載の吸盤を有するパッド体。
【請求項３】
前記パッド体の囲い壁は、円形又は矩形の幾何形状となっていることを特徴とする請求項２に記載の吸盤を有するパッド体。
【考案の詳細な説明】
【技術分野】
【０００１】
本考案は、吸盤を有するパッド体に関し、特に飲料ボトル（缶）、碗、皿、又はコップが載置され、滑り止め及び位置決めの機能を有するパッド体に関するものである。
【背景技術】
【０００２】
通常、家庭に使用される飲料ボトル（缶）、コップ、碗、皿、又は水容器は、不用意によって転倒してしまい、これに幼児のいる家庭が困ることがある。さらに、現在、社会全体の生活レベルの向上やファーストフード文化のブームに伴い、サラリーマンや学生の机には飲料ボトル（缶）又はコップが置かれることがよくある。しかしながら、一般の飲料ボトル、缶入り又は瓶入り飲料が机に置かれた場合は、外部からの不用意な力による衝撃で転倒し、飲料が溢れてしまい、ユーザに不都合である。
【０００３】
市販のいわゆる「物置きコップ」は、転倒回避のためにコップ入り飲料が載置可能であるが、使用上には衝撃による転倒の虞が依然としてあり、それを改善する必要がある。
【考案の概要】
【０００４】
そこで、本考案は、上述した課題を解決するための吸盤を有するパッド体を提供することを目的とする。このパッド体は、被載置体（例えば机又は床）に吸着され位置決めされるとともに、飲料ボトル、碗、皿、又はコップ等の物品が載置されることが可能であり、これにより、飲料ボトル、碗、皿、又はコップ等は、外力からの衝撃で容易に転倒することがない。
【課題を解決するための手段】
【０００５】
上述した目的を達成するために、本考案に係るパッド体は、下吸盤部及び上吸盤部を含み、前記下吸盤部は、中央が隆起する弧面状に形成され、前記上吸盤部は、中央が凹む弧面状に形成される。前記上吸盤部の中央部は、前記下吸盤部の中央部と一体に形成され、前記上吸盤部の周辺は、前記下吸盤部の周辺と間隔が開けられる。貫通孔は、前記上吸盤部の中央部及び前記下吸盤部の中央部を延在貫通する。前記下吸盤部は、例えば机、床等の被載置体に吸着され、前記上吸盤部は、例えば飲料ボトル、碗、皿、又はコップ等の載置物の底部が載置され、これにより、載置物は、外力による衝撃で容易に転倒することがない。さらに、載置物を取り外す場合は、下吸盤部の一隅を引っ張るだけで、外部の空気が貫通孔を経由して上吸盤部に流れ、載置物が下吸盤部から容易に取り外されることが可能となり、ユーザによる載置物の固定や分離の効果を図ることができる。
【考案の効果】
【０００６】
本考案に係る吸盤を有するパッド体によれば、被載置体に吸着されることにより、飲料ボトル、碗、皿、又はコップ等の載置物が載置されることが可能となるため、飲料ボトル、碗、皿、又はコップが外力からの衝撃で容易に転倒することがなくなり、また、本考案に係るパッド体は、載置物と容易に分離可能であるため、繰り返し利用することができる。
【図面の簡単な説明】
【０００７】
【図１】本考案に係るパッド体の立体図を示す。
【図２】図１のパッド体の断面図を示す。
【図３】皿が図１のパッド体に置かれた場合の立体図を示す。
【図４】図３のパッド体及び皿の断面図を示す。
【図５】本考案に係る他の実施例のパッド体の立体図を示す。
【図６】ボトルが図５のパッド体に置かれた場合の断面図を示す。
【考案を実施するための形態】
【０００８】
図１及び図２は、本考案に係る第１の実施例の吸盤を有するパッド体１０を示す。パッド体１０は、発泡合成ゴム又は多層接合生地等の軟性材質からなる。パッド体１０は、下吸盤部１１と上吸盤部１２とを含む。下吸盤部１１は、中央部１１１と周辺１１２とを含み、周辺１１２が中央部１１１へ向けて弧状に延在突出されることで、中央が隆起する弧面状に形成され、内部に弾力圧縮可能な空間１５が設けられている。上吸盤部１２は、中央部１２１と周辺１２２とを含み、中央部１２１が下吸盤部１１の中央部１１１と一体に形成され、周辺１２２が下吸盤部１１の周辺１１２と間隔が開けられ、さらに、中央部１２１が周辺１２２へ向けて弧状に延在突出されることで、中央が凹む弧面状に形成され、内部に弾性圧縮可能な空間１６が設けられている。また、貫通孔１３は、上吸盤部１２の中央部１２１及び下吸盤部１１の中央部１１１を延在貫通する。
【０００９】
図３及び図４に示すように、本考案に係るパッド体１０は、平坦の被載置体２０（例えば机、床等）上に載置され、載置物３０（例えばコップ、碗、皿、ボトル等）の底部が載置される。実際に実施する際、ユーザは、パッド体１０の下吸盤部１１の下面を被載置体２０上に載置した場合、下吸盤部１１と被載置体２０との間に弾力圧縮可能な空間１５が設けられているため、下吸盤部１１を押し下げることにより空間１５内の空気を排出することができ、パッド体１０の下吸盤部１１は、被載置体２０に対して吸着し位置決めするためのものとして機能する。一方、載置物３０をパッド体１０の上吸盤部１２の天井部に載置した場合、上吸盤部１２と載置物３０との間に弾力圧縮可能な空間１６が設けられているため、載置物３０が上吸盤部１２に押し付けられた場合、載置物３０の下面が上吸盤部１２に吸着され位置決めされることで、載置物３０がパッド体１０を介して被載置体２０上に安定に位置決められることが可能となる。さらに、載置物３０を取り外す場合、パッド体１０の一隅を引っ張るだけで、気体が下吸盤部１１から貫通孔１３を経由して上吸盤部１２に流れるため、載置物３０を容易に取り外すことができる。
【００１０】
図５及び図６は、本考案に係るパッド体１０の下吸盤部１１の周辺１１２が上へ延在され、環状囲い壁１４に形成される様子を示す。載置物３０がペットボトル、飲料缶、又はコップである場合、囲い壁１４は、載置物３０が外力による衝撃で容易に転倒することがないように載置物３０の外縁を囲むことができる。さらに、本考案に係る囲い壁１４は、載置物３０の外形に応じて円形、矩形又はその他の幾何形状に形成されてもよい。
【００１１】
本考案に係るパッド体１０は、ボトル、缶、コップ等の物品が載置されることで位置決め効果が達成されることに限定されず、机面に置く文具又は事務用品のいずれに本考案に係るパッド体１０が適用されても、位置決め及び滑り止めの効果を達成することができる。
【００１２】
以上のように、本考案では、吸盤を有するパッド体であって、軟質材質からなり、前記パッド体は、下吸盤部及び上吸盤部を含み、前記下吸盤部は、中央部及び周辺を含み、中央が隆起する弧面状に形成され、前記上吸盤部は、中央部及び周辺を含み、前記中央部が前記下吸盤部の中央部と一体に形成され、前記上吸盤部の周辺は、前記下吸盤部の周辺と間隔が開けられ、前記上吸盤部は、中央が凹む弧面状に形成され、貫通孔は、前記上吸盤部の中央部及び前記下吸盤部の中央部を延在貫通し、前記下吸盤部は、被載置体に吸着され、前記上吸盤部は、載置物の底部が載置されることを特徴とする吸盤を有するパッド体とするものである。
【００１３】
また、前記パッド体の下吸盤部の周辺は、上へ延在され、環状囲い壁に形成されるものとする。
【００１４】
また、前記パッド体の囲い壁は、円形又は矩形の幾何形状となっているものとする。
【産業上の利用可能性】
【００１５】
本考案に係る吸盤を有するパッド体によれば、載置体に吸着されることにより、飲料ボトル、碗、皿、又はコップ等の載置物が載置されることが可能となるため、飲料ボトル、碗、皿、又はコップが外力からの衝撃で容易に転倒することがなくなり、また、本考案に係るパッド体は、載置物と容易に分離可能であるため、繰り返し利用することができる。
【符号の説明】
【００１６】
１０  パッド体
１１  下吸盤部
１１１  中央部
１１２  周辺
１２  上吸盤部
１２１  中央部
１２２  周辺
１３  貫通孔
１４  囲い壁
１５  空間
１６  空間
２０  被載置体
３０  載置物
【図１】
0003170118.tif 000003
【図２】
0003170118.tif 000004
【図３】
0003170118.tif 000005
【図４】
0003170118.tif 000006
【図５】
0003170118.tif 000007
【図６】
0003170118.tif 000008